(57)【要約】【課題】  暖機運転時には、開閉弁を閉じたときの排気ガスの流速および圧力を十分に高めることができて触媒の早期活性に優れ、暖機運転後にはエンジンの出力低下を来すことのない内燃機関の排気浄化装置を提供する。【解決手段】  内燃機関の排気通路４２内に、ハニカム式の触媒コンバータ２４と、触媒コンバータ２４の中心部に対向する筒体２５と、筒体２５の外方の外側通路部４５２ｂを開閉する開閉弁２６とが配置され、開閉弁２６は、閉弁時に前記筒体２５の内方の内側通路部４２ａを開放する開口２６ａを有し、暖機運転時においては、排気ガスＧを触媒コンバータ２４の中心部に集中的に導いて接触させ、触媒２４ｂの温度上昇を促すことで、触媒２４ｂの早期活性化を図るようにしている。【選択図】      図２
2005299529.tif 000002
【特許請求の範囲】
【請求項１】
内燃機関の排気通路内に、ハニカム式の触媒コンバータと、前記触媒コンバータの中心部に対向する筒体と、前記筒体の外方の外側通路部を開閉する開閉弁とが配置され、
前記開閉弁は、閉弁時に前記筒体の内方の内側通路部を開放する開口を有している内燃機関の排気浄化装置。
【請求項２】
請求項１において、前記触媒コンバータと前記筒体とが同心状に配置され、前記開閉弁に、開弁時に筒体の外周面に重合される凹部が形成されている内燃機関の排気浄化装置。    
【請求項３】
請求項１または２において、前記筒体および開閉弁が前記触媒コンバータの上流に配置されている内燃機関の排気浄化装置。
【請求項４】
請求項３において、前記筒体に触媒が担持されている内燃機関の排気浄化装置。
【請求項５】
請求項１または２において、前記筒体および開閉弁が前記触媒コンバータの下流に配置されている内燃機関の排気浄化装置。
【発明の詳細な説明】
【技術分野】
【０００１】
本発明は、内燃機関の触媒付き排気浄化装置に関し、主として自動二輪車に搭載された内燃機関の暖機運転、特に内燃機関が冷えた状態からの始動時（コールドスタート）における触媒の早期活性化を行う排気浄化装置に関する。
【背景技術】
【０００２】
内燃機関、例えば自動二輪車のエンジンでは、暖機運転時に、燃料ガスの不完全燃焼のため、ＣＯ，ＨＣ，ＮＯｘを含んだ排気ガスが排出されるので、特に触媒の早期活性化を目的とした内燃機関の排気浄化装置が望まれている、このような内燃機関の排気浄化装置として、例えば排気管からバイパス管を分岐させ、これら排気管およびバイパス管の双方にそれぞれ排気浄化用の触媒コンバータを配置し、これらの触媒コンバータの上流側に開閉弁をそれぞれ１つずつ設けたものがある。この装置では、エンジンの暖機運転時には、いずれか一方の開閉弁が閉じられ、他方の開閉弁が開かれることで他方の管のみに排気ガスを通過させてその管の触媒コンバータに導き、暖機運転後の通常運転時には、排気管およびバイパス管の双方の開閉弁を開いて双方の管に排気ガスを通過させてそれぞれの触媒コンバータに導くようにしている。しかしながら、暖機運転時、一方の管を閉じて他方の管のみに排気ガスを通過させ触媒コンバータに導いても、排気ガスの流路自体が大きく絞られているわけではないので、前記触媒コンバータに到るまでの間で排気ガスの流速および圧力が低下し、その結果、排気ガス温度が低下するので、触媒の早期活性の効果は低い。また、バイパス管およびバイパス管に取り付ける開閉弁が新たに必要となるのみならず、２個目の触媒コンバータも必要となって部品点数が増加し、構造的にも複雑となり、製造コストが高くなる。
【０００３】
また、内燃機関の排気浄化装置として、例えば排気通路に触媒コンバータを配置し、この触媒コンバータの上流側に形成される空間部を排気ガス流路に沿って仕切板で二分し、前記仕切板の上流側先端部に回動中心を有し先端部が回動して前記排気通路上流側の上流管内壁に接して閉じる開閉弁により、暖機運転時には前記開閉弁を閉じて前記触媒コンバータの触媒コンバータの半分を使用するようにし、暖機運転後には開閉弁を開いて触媒コンバータの全体を使用するようにしたものがある（例えば特許文献１参照）。この装置によれば、１つの触媒コンバータにより暖機運転時の触媒の活性化を早めることができ、暖機運転後の中・高負荷運転時においても開閉弁が流路抵抗にならず、出力低下を来さない。加えて、触媒コンバータが１つで足り、バイパス管も不要となって部品点数が少なくなり、簡単な構造となって製造コストも安価となる、とされている。
【特許文献１】特開２００２−２１５４３号公報
【発明の開示】
【発明が解決しようとする課題】
【０００４】
ところが、前記排気浄化装置の場合、暖機運転時、開閉弁を閉じたときの排気ガス流路は開弁時の半分程度の流路面積となるにすぎないから、触媒コンバータに流入する排気ガスの流速および排気管内圧力を十分に上げられず、触媒に到るまでの排気ガスの温度低下を食い止めることができない。したがって、排気ガスを高温状態に保ったまま触媒に接触させることができず、触媒の早期活性化の効果は低い。しかも前記排気ガスが触媒とこれを収納する外筒との間に形成される隙間にも流入し、前記外筒を加熱するために、排気ガスが保有する熱が無駄に消費されやすい。また、開閉弁は一端を回動中心としているので、開閉弁の開閉動作時、排気ガスの動圧を受けて開閉弁に片モーメントが作用するから、大きな駆動力が必要となり、開閉弁を駆動するためのアクチュエータも大型化し、製造コストが高くなる。
【０００５】
そこで、本発明は、エンジンの暖機運転時、開閉弁を閉じたときの排気ガスの流速および圧力を十分に高めることで排気ガスを触媒に高温状態で接触させ、触媒を早期活性化させることができ、暖機運転後にもエンジンの出力低下を来すことのない内燃機関の排気浄化装置を提供することを目的とする。
【課題を解決するための手段】
【０００６】
上記目的を達成するため、本発明の内燃機関の排気浄化装置は、内燃機関の排気通路内に、ハニカム式の触媒コンバータと、前記触媒コンバータの中心部に対向する筒体と、前記筒体の外方の排気通路を開閉する開閉弁とが配置され、前記開閉弁は、閉弁時に前記筒体の内方の内側通路部を開放する開口を有している。
【０００７】
この構成によれば、暖機運転時、開閉弁を閉弁すると、筒体の外方の外側通路部が閉じられ、排気ガスは開閉弁の開口から筒体の内側通路部を通って流れる。したがって、筒体内の通路面積を十分に小さくしておくことで前記排気ガスの流速および圧力は局部的に高くなる。しかも、前記筒体は触媒コンバータの中心部に対向しているので、筒体を通過した排気ガスは触媒コンバータの中心部に集中的に通され、その中心部付近の温度上昇が促進され、ライトオフ（触媒の活性化開始）後は、触媒の自己発熱で外側へ放射状に加熱される。また、排気ガスは触媒コンバータの中心部に導入されるから、排気ガスの熱が触媒コンバータの外周から外方に逃げるのを抑制できる。このことから、触媒の早期活性化が速やかに図れ、排気ガスに含まれるＣＯ，ＨＣ，ＮＯｘを、エンジン始動直後の暖機運転時の早い時期から効率的に無害なＣＯ2 ，Ｈ2 Ｏ，Ｎ2 に浄化処理できる。さらに、暖機運転後、開閉弁を開いたとき、開閉弁および筒体が排気ガスの大きな流路抵抗とならないので、エンジンの出力低下を来すことなく排気ガスを浄化でき、装置の構造も簡単であるため、製造コストも低くなる
【０００８】
本発明の好ましい実施形態では、前記触媒コンバータと前記筒体とが同心状に配置され、前記開閉弁に、開弁時に筒体の外周面に重合される凹部が形成されている。
【０００９】
この構成によれば、暖機運転後の開弁時には、開閉弁の凹部が筒体の外周面に重合されるから、前記開閉弁が排気ガスの流路抵抗となるのが一層抑制されるので、エンジンの出力低下が抑制される。
【００１０】
本発明の好ましい実施形態では、前記筒体および開閉弁が前記触媒コンバータの上流に配置されている。この構成によれば、暖機運転時、触媒コンバータに導かれる排気ガスはその上流側で開閉弁の開口から筒体内を通過するので、触媒に接触する前の排気ガスの流速および圧力が高められる。これにより、前記排気ガスは、温度低下を抑制して高温状態に保ったままで触媒コンバータに導かれるので、触媒の早期活性が促進される。
【００１１】
本発明の好ましい実施形態では、前記筒体に触媒が担持されている。この構成によれば、排気ガスは排気通路内の主触媒としてのハニカム式の触媒コンバータに導かれるのに先立ち、筒体通過時に、筒体に担持された触媒（例えば酸化触媒）にも接触するので、筒体通過時に、排気ガスを浄化処理できる。しかも、筒体に担持された触媒との接触により触媒コンバータに導かれる排気ガスの温度が早く上昇するから、排気ガスは、高温状態で触媒コンバータに導かれて触媒と接触することになるので、触媒の早期活性がより一層促進される。
【００１２】
本発明の好ましい実施形態では、前記筒体および開閉弁が前記触媒コンバータの下流に配置されている。この構成によれば、触媒コンバータの上流側に排気ガスの流路抵抗となる筒体および開閉弁が存在しないので、排気ガスは熱量損失および圧力損失が抑制され、高い熱量を保有したまま前記触媒コンバータ側に導かれる結果、前記触媒コンバータでの触媒の早期活性が促進される。この場合においても、暖機運転時には、触媒コンバータに導かれた排気ガスは筒体内を通って開閉弁の開口のみから排出され、暖機運転後には、開閉弁を開いて排気ガスは筒体内方のみならず、筒体外方の排気通路空間部からも排出されるが、前記筒体や開閉弁は排気ガスの大きな流路抵抗とならないので、エンジンの出力低下を来すことなく排気ガスの浄化が行える。
【発明の効果】
【００１３】
本発明の内燃機関の排気浄化装置によれば、暖機運転時、排気ガスは、開閉弁の開口から筒体の内側通路部を通ってハニカム式の触媒コンバータの中心部へ集中的に導かれ、触媒と接触するので、排気ガスの流速および圧力が高くなる。その結果、排気ガスが高温に維持された状態で触媒に接触するので、触媒の早期活性化が図れる。また、暖機運転後に開閉弁を開弁した状態では、開閉弁および筒体が大きな通路抵抗とならないので、エンジンの出力低下を来すことなく排気ガスの浄化が行え、装置が簡単な構造であるため、製造コストも低くなる。
【発明を実施するための最良の形態】
【００１４】
以下、本発明の好ましい実施形態について図面を参照しながら説明する。図１は、本発明の第１実施形態に係る内燃機関の排気浄化装置を備えた自動二輪車を示す側面図である。同図に示す自動二輪車は、車体フレームＦＲの前半部を構成するメインフレーム１の前端に、ヘッドパイプ３５、アッパーブラケット３６およびロワーブラケット３７を介してフロントフォーク２が支持され、このフロントフォーク２の下端に前輪３が支持されている。また、フロントフォーク２の上端のアッパーブラケット３６にはハンドル５が取り付けられている。メインフレーム１の後端下部には、スイングアームブラケット６が形成され、このスイングアームブラケット６に、左右一対のスイングアーム７の前端がピボット軸８を介して上下揺動自在に支持されている。このスイングアーム７の後端には後輪９が支持されている。前記メインフレーム１の後部に連結されたシートレール１０が車体フレームＦＲの後半部を構成している。メインフレーム１の中央下部には４サイクルエンジンＥが支持され、このエンジンの前方にラジエータ１１が配置されている。また、前記エンジンＥのシリンダヘッド１２に形成された複数の排気ポート１３にはそれぞれ排気管１４が接続され、これらの排気管１４は集合部１５で１本に集合され、この集合部１５と車体の後部上方に延びるように設定されたジョイントパイプ１６とが、エンジンＥの下方に当たる位置で排気浄化装置２２を介して接続され、前記ジョイントパイプ１６の後端にサイレンサ１７が接続されている。
【００１５】
前記シートレール１０にはライダー用シート１８と同乗者用シート１９が支持されている。前記メインフレーム１の上部、つまり、車体上部で、前記ハンドル５とライダー用シート１８との間には、燃料タンク２０が取り付けられている。また、車体前部に、前記ハンドル５の前方から車体前部の側方にかけての部分を覆う樹脂製のカウリング２１が装着されており、このカウリング２１の後方部分はエンジンＥの側部と下部とを覆っている。      
【００１６】
図１の要部の縦断面を拡大して示す図２において、排気浄化装置２２は、大径部２３ａとその前後の小径部２３ｂ，２３ｃとをテーパ部２３ｄ，２３ｅを介して一体的に形成した横断面円形の外筒２３を有し、前記大径部２３ａ内に、ハニカム式の円筒形触媒コンバータ２４が配置されている。このハニカム式の触媒コンバータ２４は、モノリス担体と呼ばれるハニカム形状のセラミックス構造体またはハニカム形状のメタル薄膜の構造体からなる触媒担体２４ａにアルミナをコートし、その上に酸化反応の触媒２４ｂとしてＰｔ，Ｐｄなどが、還元反応の触媒２４ｂとしてＲｈがコーティングされているものである。上流側の小径部２３ｂ側には、前記触媒コンバータ２４の中心部、すなわち、触媒担体２４ａの中心部に対向するように、かつ触媒コンバータ２４との間の軸方向のクリアランスが最小となるように、小径部２３ｂと同心の円筒状の筒体２５が配置されている。この場合、図２に示すように、大径部の軸心Ｐ２と触媒コンバータ２４の軸心Ｐ４とが合致し、これらの軸心Ｐ２，Ｐ４と小径部の軸心Ｐ１とが合致し、前記筒体２５の軸心Ｐ３は前記触媒コンバータ２４の軸心Ｐ４と合致している。つまり、この実施形態では、前記４つの軸心Ｐ１〜Ｐ４がすべて合致し、排気ガスＧの流れ方向に一致している。この筒体２５の上流側には、閉弁時に前記筒体２５の先端部２５ａの外周に嵌合する開口２６ａを中央部に備えた開閉弁２６が配置されている。
【００１７】
前記開閉弁２６は、例えば、開閉弁２６を上流側斜め方向から示す図３から明らかなように、小径部２３ｂの内径とほぼ同一直径を有する円板形状を有し、前記開口２６ａを除く下半部２６ｃは平板状に形成され、前記開口２６ａを除く上半部２６ｄには、閉弁姿勢で上下方向に延び、かつ上流側に湾曲して膨出する凹部２６ｂが形成されている。前記開閉弁２６は、閉弁時には実線で示すように小径部２３ｂに対して垂直な状態にあり、開弁時、回動中心Ｏ回りに矢印Ａ方向に９０°回動させることにより、図４に示すように水平状態に位置させられ、筒体２５の外周面に前記開閉弁２６の凹部２６ｂが重合するようになっている。前記回動中心Ｏは、前記筒体２５の軸心Ｐ３と交差している。
【００１８】
図２のハニカム式の触媒コンバータ２４は、大径部２３ａ内にその内面との間に隙間が殆ど生じないように配置収容されており、このようにすることで開弁時に大径部２３ａの内面との間に排気ガスＧが流入せず、前記大径部２３ａを加熱するために排気ガスＧが保有する熱が無駄に消費されることがない。前記触媒コンバータ２４と筒体２５との間は、必ずしも最小クリアランスである必要はなく、筒体２５の先端が前記触媒コンバータ２４の端面に接触していても差し支えない。前記筒体２５は上流側の小径部２３ｂに対して放射状のステー４０を介して支持されている。前記筒体２５の内径と小径部２３ｂの内径の比は、排気ガスＧの流速および圧力を効果的に高めるために、９：１〜１：１の範囲にあるのが好ましく、４：１〜２：１の範囲がさらに好ましい。
【００１９】
前記筒体２５と開閉弁２６は、例えば暖機運転時における開閉弁２６の閉弁時には、図３に示すように、筒体２５の軸心Ｐ３に対して開閉弁２６が直交した姿勢で、開閉弁２６の開口２６ａが筒体２５の先端部２５ａの外周に挿通される。この閉弁時を側面方向から見ると、図５に示すように、小径部２３ｂの排気通路４２のうち、筒体２５の内方の内側通路部４２ａは開口２６ａにより前後に開放され、外側通路部４２ｂは開閉弁２６によって塞がれ、排気ガスＧは開閉弁２６の開口２６ａから筒体２５の内側通路部４２ａを経由して触媒コンバータ２４に導かれる。暖機運転後の開弁時には、図４に示すように、開閉弁２６を矢印Ａ方向に９０°回転させて筒体２５と平行に位置させる。
【００２０】
前記開閉弁２６は、図６に示す開度調整手段によって任意の開度に設定される。図６に示すように、前記開閉弁２６にはその直径方向の左右両端に支持軸２６ｅ，２６ｆが設けられており、これら支持軸２６ｅ，２６ｆが対応する小径部２３ｂに設けた孔に回転自在に支持され、一方の支持軸２６ｆに取り付けたプーリ２７とアクチュエータ２９との間がワイヤ２８により連結されている。前記アクチュエータ２９の作動は、エンジン回転数、スロットル開度およびエンジン水温の高低を検知して前記開閉弁２６が最も適切な開度となるように制御ユニット３０によって制御されている。例えば、エンジン回転数、スロットル開度およびエンジン水温が共に低い場合には、前記制御ユニット３０より前記開閉弁２６を閉じるようにアクチュエータ２９が制御される。逆に、エンジン回転数、スロットル開度およびエンジン水温が共に高い場合には、前記制御ユニット３０より前記開閉弁２６を全開するようにアクチュエータ２９が制御される。さらに、エンジン回転数、スロットル開度が共に低く、エンジン水温が高い場合には、前記制御ユニット３０より前記開閉弁２６を中間開度となるようにアクチュエータ２９が制御される。このとき、開閉弁２６は図３の実線と二点鎖線で示す位置の中間位置、つまり、排気ガスＧの流れ方向に対して傾斜した状態にある。
【００２１】
上記構成において、図１に示す自動二輪車などのエンジンＥの暖機運転時や暖機運転後に排気ポート１３から排出される排気ガスＧは、排気管１４を経て集合部１５に集まり、この集合部１５とジョイントパイプ１６との間に配置した前記排気浄化装置２２で浄化処理される。この際、図２に示すように、排気浄化装置２２では、暖機運転時、開閉弁２６が閉じられると、排気ガスＧは開閉弁２６の開口２６ａのみから導かれて筒体２５の内側通路部４２ａを通り、ハニカム式の触媒コンバータ２４に導かれる。このとき、前記筒体２５は小径部２３ｂの径に比べて十分小径であるので、この小径部２３ｂ通過時に前記排気ガスＧの流速および圧力が上昇する。これにより、排気ガスＧは高い温度を保ったまま、ハニカム式の触媒コンバータ２４の中心部に集中的に導かれるので、前記触媒コンバータ２４は短時間で温度上昇し、ライトオフ後は触媒２４ｂの自己発熱で外側へ放射状に加熱される。また、排気ガスＧは触媒コンバータ２４の中心部に導入されるから、排気ガスＧの熱が触媒コンバータ２４の外周から外筒２３の周壁を通って外方に逃げるのを抑制できる。その結果、触媒２４ｂが早期に活性化され、触媒による排気ガスＧの浄化性能が向上する。
【００２２】
暖機運転後の開弁時には、開閉弁２６を図４に示す閉弁位置に回動させることにより筒体２５と平行、つまり排気ガスＧの流れ方向と平行に設定することで、排気ガスＧは内側通路部４２ａと外側通路部４２ｂの両方を通って図２の触媒コンバータ２４に導入され、触媒コンバータ２４の全体を使って浄化される。このとき、開閉弁２６の凹部２６ｂを筒体２５の外周面に重合させることで、排気ガスＧの流路抵抗が抑制される。
【００２３】
図７は、第２実施形態に係る内燃機関の排気浄化装置を示している。この排気浄化装置２２では、排気通路となる大径部２３ａの軸心Ｐ２を、左右の小径部２３ｂ，２３ｃの軸心Ｐ１に対して下方に偏心させている。筒体２５は上流側の小径部２３ｂの底部近傍に支持されており、前記筒体２５が触媒コンバータ２４の中心部に対向するように、筒体２５の軸心Ｐ３を大径部２３ａの軸心Ｐ２に合致させている。この構成においても、暖機運転時、開閉弁２６が閉じられると、排気ガスＧは開閉弁２６の開口２６ａから筒体２５の内側通路部４２ａを通って触媒コンバータ２４の中心部に集中的に導かれ、前記第1実施形態の場合と同様に、触媒コンバータ２４の中心部の温度上昇が促進され、ライトオフ後は放射状に触媒コンバータ２４の外側へ温度上昇が促され、結果として前記触媒２４ｂの早期活性が促される。暖機運転後の動作は前記第1実施形態と同様である。
【００２４】
図８は、第３実施形態に係る内燃機関の排気浄化装置を示している。この排気浄化装置では、中央部のハニカム式の触媒コンバータ２４に加え、筒体２５の内面に触媒３１、例えば酸化触媒（ＰｔまたはＰｔ＋Ｐｄ）をコーティングして担持させたものである。筒体２５にも触媒３１を副触媒として担持させることで、暖機運転時、開閉弁２６を閉じたとき、開閉弁２６の開口２６ａから前記筒体２５の内側通路部４２ａを通過する排気ガスＧの予備的な浄化がなされるとともに、排気ガスＧの温度をより早く昇温でき、筒体２５を通過した排気ガスＧが主触媒としてのハニカム式の触媒コンバータ２４に導かれることで、その触媒２４ｂを一層早期に活性化させることができ、触媒２４ｂによる排気ガスＧの浄化性能をより速やかに向上させることができる。なお、筒体２５の内外面の両方に触媒３１を担持させてもよく、その場合、外面の触媒により、開閉弁２６を開いたときに外側通路部４２ｂを通る排気ガスＧの予備的な浄化および昇温がなされる。
【００２５】
図９は、第４実施形態に係る内燃機関の排気浄化装置を示している。この排気浄化装置では、ハニカム式の触媒コンバータ２４の出口後方側に筒体２５および開閉弁２６を配置している。この場合、ハニカム式の触媒コンバータ２４の入口前方に開閉弁２６や筒体２５が存在せず、排気ガスＧの抵抗および熱損失となる部品がないことで、暖機運転時、前記触媒コンバータ２４を通過する排気ガスＧは熱損失の少ない状態で流れ込むので、前記触媒コンバータ２４の温度上昇が早くなる。このことにより、触媒２４ｂは早期に活性化され、触媒２４ｂによる排気ガスＧの浄化性能が向上する。暖機運転後には、前記第1実施形態と同様、開閉弁２６が開弁して筒体２５の内方通路部４２ａのみならず、筒体２５の外方の外側通路部４２ｂからも排気ガスＧが流されるが、このとき、前記開閉弁２６はその凹部２６ｂが筒体２５の外周面に重合されてこれら筒体２５および開閉弁２６は排気ガスＧの流路抵抗となることがないので、エンジンの出力低下を来さない。
【００２６】
図１０は、第５実施形態に係る内燃機関の排気浄化装置を示している。この排気浄化装置では、触媒コンバータ２４の入口手前のテーパ部２３ｄ内に筒体２５および開閉弁２６を配置している。このように構成したことで、暖機運転時には、開閉弁２６が閉弁されて触媒コンバータ２４の中心部に集中的に排気ガスＧが通過して触媒温度が速やかに上昇し、かつ外側に放射的に熱伝導して加熱されるので、触媒２４ｂが早期に活性化されて排気ガスＧが浄化処理される。暖機運転後の開弁時には、前記排気ガスＧは、上流側の小径部２３ａから径が広がっていくテーパ部２３ｄに入り込むことで流速および圧力ともに低下するので、このテーパ部２３ｄに配置した筒体２５および開閉弁２６による流路抵抗が小さくなる利点がある。
【図面の簡単な説明】
【００２７】
【図１】本発明の第１実施形態に係る内燃機関の排気浄化装置を備えた自動二輪車を示す側面図である。
【図２】本発明の第１実施形態に係る排気浄化装置を示す縦断面図である。
【図３】本発明の第1実施形態に係る排気浄化装置を拡大して示す上流側から透視状態で見た斜視図である。
【図４】本発明の第1実施形態に係る排気浄化装置を拡大して示す下流側から透視状態で見た斜視図である。
【図５】本発明の第１実施形態に係る排気浄化装置を拡大して示す透視状態で見た正面図である。
【図６】開閉弁の開度調整手段を拡大して示す斜視図である。
【図７】本発明の第２実施形態に係る排気浄化装置を示す縦断面図である。
【図８】本発明の第３実施形態に係る排気浄化装置を示す縦断面図である。
【図９】本発明の第４実施形態に係る排気浄化装置を示す縦断面図である。
【図１０】本発明の第５実施形態に係る排気浄化装置を示す縦断面図である。
【符号の説明】
【００２８】
２２  排気浄化装置
２３  外筒
２３ａ  大径部
２３ｂ，２３ｃ  小径部
２４  触媒コンバータ
２４ｂ，３１  触媒
２５  筒体
２６  開閉弁
２６ａ  開口
２６ｂ  凹部
Ｇ  排気ガス
４２  排気通路
４２ａ  内側通路部
４２ｂ  外側通路部
【図１】
2005299529.tif 000003
【図２】
2005299529.tif 000004
【図３】
2005299529.tif 000005
【図４】
2005299529.tif 000006
【図５】
2005299529.tif 000007
【図６】
2005299529.tif 000008
【図７】
2005299529.tif 000009
【図８】
2005299529.tif 000010
【図９】
2005299529.tif 000011
【図１０】
2005299529.tif 000012